(57)【要約】【課題】磁気テープを巻いた単一リールをケース内に収容する磁気テープカートリッジが、非使用時にリール回転をロック状態とし、使用時に解除状態としてリール回転を許容するリール回転制止手段を備え、該回転制止手段が、リールに接離移動してリール回転を拘束する制止部材と、制止部材を制止方向に付勢する付勢部材と、リールと一体に回転してドライブ側回転駆動手段のチャッキング動作に応じて制止部材を解除方向に移動させる解除部材とを有し、非使用時での制止部材によるロック状態を確保しつつ、ロック時および落下衝撃等を受けたときの磁気テープの巻き締まりによるテープ外れを防止する。【解決手段】制止部材４は、リール２のロック歯２９と噛合してリール回転を制止する制止用ギヤ４２を備え、該制止用ギヤの歯が、ロック歯２９の頂角以上でかつ９０度以内の頂角と、先端部の垂直線に対する内角が３０度以上でかつ互いに等しい両側の斜面を有する。【選択図】図７
2008004265.tif 000002
【特許請求の範囲】
【請求項１】
磁気テープを巻装した単一のリールをカートリッジケース内に回転可能に収容するとともに、非使用時には前記リールの回転を拘束したロック状態とし、使用時には該ロック状態を解除して前記リールの回転を許容するリール回転制止手段を備え、該リール回転制止手段が、前記リールに対して接離可能に移動して該リールの回転を拘束する制止部材と、該制止部材を制止方向に付勢する付勢部材と、前記リールと一体に回転してドライブ側回転駆動手段のチャッキング動作に応じて移動し前記制止部材を解除方向に移動させる解除部材とを有する磁気テープカートリッジにおいて、
前記制止部材は、前記リールに形成されたロック歯と噛合して前記リールの回転を制止する制止用ギヤを備え、該制止用ギヤの歯が、前記リールのロック歯の頂角以上でかつ９０度以内の頂角と、先端部の垂直線に対する内角が３０度以上でかつ互いに略等しい両側の斜面とを備えていることを特徴とする磁気テープカートリッジ。
【発明の詳細な説明】
【技術分野】
【０００１】
本発明は、磁気テープカートリッジに関し、特にカートリッジケース内に磁気テープが巻装された単一のリールを回転可能に収容してなる磁気テープカートリッジにおいて、上記リールを非使用時に回転制止状態とするリール回転制止手段の構造に関するものである。
【背景技術】
【０００２】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。
【０００３】
この磁気テープはコンピュータ等のデータ保存用として用いられ、重要な情報が記憶されているため、テープジャミング等のトラブルが発生しないように、また保管時等の非使用時には不用意に磁気テープが引き出されないように、上記リールの回転を拘束するリール回転制止手段が設けられている。
【０００４】
このリール回転制止手段は、例えば、特許文献１に開示されているように、リールの回転を拘束する制止部材と、この制止部材を制止方向に付勢する付勢部材と、ドライブ機構側の回転駆動手段のチャッキング動作に応じて移動して上記制止部材を解除方向に移動させる解除部材とを備えている。
【０００５】
そして、リール側にはロック歯が形成され、カートリッジケースに対して回転不能に設けられた制止部材側には上記ロック歯に噛合する制止用ギヤが設けられており、非使用状態においては、制止部材の制止用ギヤがリールのロック歯に係合して、リールが不用意に回転しないように拘束するロック状態として磁気テープの引き出しが行われないようにしている。一方、カートリッジがドライブ機構に装填されて回転駆動手段によってリールのチャッキングが行われると、その動作に連係して解除部材が制止部材を移動させて、制止用ギヤとリールのロック歯とを非係合状態にすることによって、ロック状態からロック解除状態となる。この解除状態においてはリールは回転可能となり、磁気テープの引き出し及び巻き取りを行なうことができる。
【０００６】
そして、上記解除部材は、上記制止部材に当接する本体部と、上記リールに設けた挿通孔を通して先端が上記ドライブ機構側の回転駆動手段の一部に当接可能な脚部とを備えており、ドライブ機構側の回転駆動手段のチャッキング動作に伴って上記解除部材の脚部を押圧してこの解除部材を解除作動するように構成されている。
【特許文献１】特開平１１−２３８３５２号公報
【発明の開示】
【発明が解決しようとする課題】
【０００７】
ところで、この種の磁気テープカートリッジは、そのケース内にリールが１個しかないので、非使用時におけるカートリッジの落下等による衝撃で磁気テープが弛んだ場合、弛みを吸収することができず、磁気テープがダメージを受けたりする虞れがあった。そこで、カートリッジの落下等による衝撃で磁気テープが弛むのを防止するために、リール側のロック歯および制止用ギヤの歯形状は、一般にリールの回転方向に垂直な面に対して両側の斜面が対称的な山形ではなく、リール側のロック歯の巻き戻し方向（テープの弛み方向）に面する歯面と、この歯面に当接する制止用ギヤの歯面とが垂直に近い傾斜を有する鋸歯状をなしている。
【０００８】
しかしながら、非使用時に、制止用ギヤとロック歯との噛合によってリールが強制的にロックされる場合、噛合前の制止用ギヤとロック歯との位相関係によっては、両者の完全な噛合状態に向かってリールが勝手に動くことがある。特に、上述のように、弛みを防止するために、リール側のロック歯の巻き戻し方向（テープの弛み方向）に面する歯面と、この歯面に当接する制止部材側のギヤの歯面とが垂直に近い傾斜を有していると、両者が噛合する場合に、巻き上げ方向（テープの巻き締まり方向）にのみ動き、磁気テープに巻き締め力が作用することになる。
【０００９】
また、単一のリールに磁気テープを巻装した磁気テープカートリッジでは、磁気テープの繰出し側に、テープ引出し具を連結しておき、このテープ引出し具をドライブ機構側の捕捉具で捕捉して、磁気テープをカートリッジケース内から引き出すように構成されているが、テープ引出し具がケース周側面に露出していると、落下衝撃等を受けた場合に、その遊端がケース外へ突出したり、また、磁気テープを引き出すためにケースに形成された開口から塵埃等がケース内に侵入したりするという問題があった。そこで、例えば特許文献１に開示されているように、スライドドアで開閉されるテープ引出し用開口の内側にピン形状のテープ引出し具を係止する形態が提案されている。このテープ引出し具の形状は、主として記録再生装置側の要求仕様により決定されるものである。
【００１０】
このように、磁気テープの先端にピン形状のテープ引出し具が結合され、かつ非使用時にこのピン形状のテープ引出し具がカートリッジケースに係止されている場合、リールが巻き上げ方向に動いて磁気テープに所定量以上の巻き締め力が作用すると、磁気テープに対する上記ピン形状のテープ引出し具の結合強度が比較的低いために、磁気テープとテープ引出し具との結合が容易に外れてしまう虞れがあり、外れないまでも、上記巻き締め力により、磁気テープに伸びが発生して磁気記録再生特性が劣化したり、テープ引出し具が所定の係止位置から外れたり傾くことによって、その後に磁気テープの正常な引き出し動作が不能となって信頼性が低下する虞れがあった。
【００１１】
上述の事情に鑑み、本発明の目的は、非使用時におけるリール回転制止手段の制止部材によるリールのロック状態を確保しつつ、ロック時および落下衝撃等を受けた場合における磁気テープの巻き締まりによるテープ外れ等を防止した磁気テープカートリッジを提供することにある。
【課題を解決するための手段】
【００１２】
上記目的を達成するために、本発明は、磁気テープを巻装した単一のリールをカートリッジケース内に回転可能に収容するとともに、非使用時には上記リールの回転を拘束したロック状態とし、使用時には該ロック状態を解除して上記リールの回転を許容するリール回転制止手段を備え、該リール回転制止手段が、上記リールに対して接離可能に移動して該リールの回転を拘束する制止部材と、該制止部材を制止方向に付勢する付勢部材と、上記リールと一体に回転してドライブ側回転駆動手段のチャッキング動作に応じて移動し上記制止部材を解除方向に移動させる解除部材とを有する磁気テープカートリッジにおいて、上記制止部材は、上記リールに形成されたロック歯と噛合して上記リールの回転を制止する制止用ギヤを備え、この制止用ギヤ部の歯が、上記リールのロック歯の頂角以上でかつ９０度以内の頂角と、先端部の垂直線に対する内角が３０度以上でかつ互いに略等しい両側の斜面とを備えていることを特徴とするものである。
【００１３】
なお、上記垂直面とは、リールの回転方向に垂直な面を意味する。また、上記制止用ギヤ部およびロック歯は、合成樹脂材料で形成されていることが好ましい。
【発明の効果】
【００１４】
本発明によれば、リール側のロック歯と噛合してリールの回転を制止する制止部材が備えている制止用ギヤの歯が、９０度以内の角度を有する頂角と、先端部の垂直線に対する内角が３０度以上でかつ互いに略等しい角度、すなわち４５度以内の角度を有する両側の斜面とを備えていることにより、ロック歯同士の噛合状態において確実なリール回転のロックが行なえるとともに、ロックに際して、双方のロック歯の位相がずれていて、噛合に伴いリールが巻き戻し方向へ移動してもその移動量は僅かであるから、磁気テープの弛みは少ない。また、噛合に伴いリールが巻き上げ方向へ移動してもその移動量は僅かであるから、リールの巻き上げ方向への移動に伴い磁気テープに作用する巻き締め力も小さく、強制ロックに伴い磁気テープがピン形状のテープ引出し具から外れるのを防止することができる。
【００１５】
また、落下衝撃等によってリールが巻き上げ方向に回転して磁気テープに過大な巻き締まり力が作用した際には、リール側のロック歯の巻き戻し方向に面する斜面により制止部材が解除方向に移動してリール側のロック歯との噛合状態が浅くなり、リールの巻き戻し方向への回転が許容されるから、過大な巻き締まり力を緩和することができ、磁気テープがピン形状のテープ引出し具から外れるのを防止することができる。
【００１６】
さらに、制止部材の制止用ギヤの歯の頂角がリール側のロック歯の頂角以上の角度に設定されていることによって、すなわち、リール側のロック歯の頂角を制止部材側の制止用ギヤの歯の頂角以下の角度に設定してリール側のロック歯の歯先を細くすることにより、このロック歯を変形し易くし、歯間に若干の遊びを設けることができるから、強制ロック機能を損なうことなく、磁気テープの巻き締まり力を緩和することができる。特に、双方の歯が合成樹脂材料で形成されている場合、より変形しやすくなるから、磁気テープの巻き締まり力の緩和機能が向上する。
【００１７】
したがって、本発明によれば、非使用時におけるリールの確実なロックと、ロック時および落下衝撃による磁気テープの巻き締まり力の緩和とを両立させることができ、これによって、磁気テープの伸び、外れ等を防止し、磁気記録再生特性の確保および磁気テープの正常な引き出し動作を保持して信頼性を高めることができる。
【発明を実施するための最良の形態】
【００１８】
以下、図面に示す実施の形態に基づいて本発明を詳細に説明する。
【００１９】
図１において、磁気テープカートリッジ１は、上ケース３１と、中心部に開口３２ａを備えた下ケース３２とがビス等により締結されたカートリッジケース３内に、磁気テープ（図示省略）を巻装した単一のリール２を回転可能に収容しており、さらに、使用時に上記リール２の回転を許容し、非使用時に上記リール２の回転を拘束するリール回転制止手段１０を備えている。
【００２０】
上記リール２は、磁気テープが外周に巻回される有底円筒状のリールハブ２１と、このリールハブ２１の上下端外周からそれぞれ径方向に円盤状に張り出した下フランジ部２２および上フランジ部２３とからなり、リールハブ２１と下フランジ部２２とが合成樹脂材料により一体成形され、これに上フランジ部２３が例えば超音波溶着により結合されている。リールハブ２１は中心側下部が底壁２１ａにより閉塞され、この底壁２１ａの下面外周部には、ドライブ機構側の回転駆動手段１１の駆動ギヤ１３と噛合するリールギヤ２４が環状に刻設され、このリールギヤ２４より内周側に、マグネット式吸引用の環状金属板からなるリールプレート２５が取り付けられている。そして、上記リール２のリールギヤ２４およびリールプレート２５は、カートリッジケース３の底面の開口３２ａに臨むように配置されている。なお、リール２は後述の付勢部材（コイルばね）５により下方に付勢されている。
【００２１】
一方、ドライブ機構側の回転駆動手段１１は、回転シャフト１２の上端面に環状の駆動ギヤ１３とマグネット（図示せず）とを備え、そのチャッキング動作は、図示しないドライブ機構側のバケットに装填された磁気テープカートリッジ１が回転シャフト１２に向かって下降して、上記駆動ギヤ１３が上記リールギヤ２４に噛合するとともに、マグネットにより上記リールプレート２５を吸引して噛合状態を保持することによって行なわれる。
【００２２】
次に、上記リール回転制止手段１０の機構について説明する。このリール回転制止手段１０は、上記リール２に対して接離可能に上下方向に移動する制止部材４と、この制止部材４を制止方向に付勢するためのコイルばねからなる付勢部材５と、上記制止部材４をロック解除方向に移動させる解除部材６とを備えている。
【００２３】
リール２の底壁２１ａには、上記リールギヤ２４の部分を上下方向に貫通する３個の挿通孔２６が円周上に等間隔を保ってに配設され（図３参照）、さらに、底壁２１ａの上面には上記挿通孔２６と位相を異にする位置に３組６個の係止突起２７が円周上に等間隔を保って一体に立設され、この係止突起２７の先端にはロック歯２９が形成されている。なお、上記挿通孔２６および係止突起２７は３個あるいは３組以上配置してもよく、係止突起２７の先端のロック歯２９は単一のギヤ形状としてもよい。
【００２４】
合成樹脂材料で形成された上記制止部材４は、上記リール２のリールハブ２１内にその底壁２１ａと対向して配置された円盤部４１を備え、この円盤部４１の下面外周部には制止用ギヤ４２が円環状に刻設され、このギヤ４２の歯は上記係止突起２７のロック歯２９と噛合可能である。また、上記円盤部４１の下面中心部は凸面状に突出して摺接部４１ａを形成し、この摺接部４１ａが付勢部材５の付勢力によって解除部材６の本体部６１の上面中心の摺接部６１ａに圧接するように構成されている。
【００２５】
さらに、上記制止部材４の円盤部４１の上面には突起部４４が上方に延びて形成され、この突起部４４には上下方向に延びる十字形状の係止溝４５が設けられている。一方、カートリッジケース３の上ケース３１の内面には上記係止溝４５に挿入される支持部３３（回り止め突起）が立設されている。そして、係止溝４５と支持部３３の係合で、制止部材４が回り止め状態で上下方向に移動可能に設けられている。上記支持部３３は図示の場合、制止部材４の内側に設けられているが、これは外側に設けられていてもよい。
【００２６】
上記制止部材４の円盤部４１上面の上記突起部４４の外周に沿った部分と、上ケース３１の支持部３３の外側に環設されたばね受け３４の内側との間には、コイルばねからなる付勢部材５が縮装されて、制止部材４を下方に、すなわち制止用ギヤ４２とロック歯２９とが係合するロック方向に付勢している。
【００２７】
また、上記解除部材６は、上記制止部材４とリールハブ２１の底壁２１ａとの間に上下移動可能に介装され、略三角形状の板状本体部６１（図３参照）の各頂点近傍下面には上下方向に延びる円柱状の脚部６３が設けられている。各脚部６３は、上記リール２の底壁２１ａに開口された挿通孔２６にそれぞれ底壁２１ａの下面から出没移動可能に挿通され、その先端はリール２下面のリールギヤ２４の歯部に臨んでいる。その際、上記ロック歯２９を備えた係止突起２７は各脚部６３の間で本体部６１の外側に位置するように構成されている。なお、上記脚部６３は角柱状、楕円柱状等に形成してもよい。
【００２８】
上記解除部材６が最下降位置（図１）にあるときには、脚部６３の先端はリールギヤ２４の先端から下方へ突出し、このリールギヤ２４に対し、ドライブ機構側の回転駆動手段１１のチャッキング動作により駆動ギヤ１３が噛合するのに伴って、解除部材６が上方へ押圧され所定のストローク量で押し上げられるようになっている（図２）。また、この解除部材６は、脚部６３の挿通孔２６への嵌合によりリール２と一体に回転する。
【００２９】
なお、上記リールハブ２１の内周面には、解除部材６の脚部６３を挿通孔２６に挿入する際に、解除部材６の一部を挿入方向に案内するガイド部材２８が設けられている（図３参照）。上記ガイド部材２８は、上記挿通孔２６の近傍におけるリールハブ２１の内壁に、上記解除部材６の略三角形状の本体部６１の各頂部を案内する上下方向（脚部６３の挿入方向）に延びる２つのガイドリブとして形成されている。また、リールハブ２１の内周面全体に同様の補強用リブが配設されている。
【００３０】
ところで、上記のようなリール回転制止手段１０の解除状態において、制止部材４はその底面の中心部が解除部材６の中心部と摺接しているだけであるため不安定で傾き易い。一方、リール２は磁気テープのロード／アンロードに応じて回転又は停止駆動されるから、それによる力が解除部材６を介して制止部材４に作用することにより、この力によって制止部材４が図４に示すように傾くと、制止部材４の制止用ギヤ４２が、リール２のロック歯２９に接触して異音が発生すると共に、リール２の回転を阻害し、磁気テープの安定したロード／アンロード動作に支障を来すことになる。
【００３１】
そこで本実施の形態では、上記のようなリール回転制止手段１０において、解除状態における制止部材４の傾斜を抑制する構造が採用されている。まず、第１の態様としては、図５に示すように、上記制止部材４を上ケース３１に回転不能にかつ上下方向に移動可能に支持する突起部４４の係止溝４５と支持部３３との係止構造において、上記制止部材４と上ケース３１の支持部３３との係合長さをａ、制止部材４と支持部３３との間の隙間をｂ、制止用ギヤ４２と係止突起２７のロック歯２９との離間距離をｃ、制止用ギヤ４２の外径をｄとしたとき、これらの寸法が、
ｂ≦（２×ａ×ｃ）／ｄ
なる関係を満足するように設定されている。すなわち、制止部材４と支持部３３との間の隙間ｂが制止用ギヤ４２とロック歯２９との接触が発生しない程度に狭く設定される。
【００３２】
上記式を書き換えると、制止部材４と上ケース３１の支持部３３との係合長さａが、
ａ≧（ｂ×ｄ）／（２×ｃ）
の関係を満足するように大きく設定される。
【００３３】
また、第２の態様としては、図６に示すように、コイルばねからなる付勢部材５を設ける場合に、上ケース３１内面のばね受け３４に対する付勢部材５の傾きを規制することによって制止部材４の傾きを抑制するために、解除状態における制止用ギヤ４２とロック歯２９との離間距離をｃ、制止用ギヤ４２の外径をｄ、付勢部材５の外周とばね受け３４内周との隙間をｅ、付勢部材５とばね受け３４との係合長さをｆとしたとき、これらの寸法が、
ｅ≦（２×ｆ×ｃ）／ｄ
なる関係を満足するように設定されている。すなわち、付勢部材５の外周とばね受け３４内周との隙間ｅが、制止用ギヤ４２とロック歯２９との接触が発生しない程度に狭く設定され、付勢部材５の周方向での付勢力の均等化で制止部材４を平行に保持する。また、ばね受け３４の係合長さｆを上記式を満たすように長くする。
【００３４】
さらに、第３の態様としては、上記制止部材４の摺接部４１ａと解除部材６の摺接部６１ａとの摺接部分において、制止部材４の摺接部４１ａが曲面（球面）で形成され、その曲率半径Ｒ（図５参照）が、３０mm以下、好ましくは２０mm以下、さらに好ましくは１５mm以下に設定されている。これにより、制止部材４に傾きが発生した際に付勢部材５による周方向の付勢力が不均等となるのに伴う摺接部４１ａの揺動作用により制止部材４が平坦な状態に復元する際に、その曲率半径Ｒが小さい方が平坦状態に復帰しやすくなる。
【００３５】
一方、第４の態様としては、上記解除部材６の解除移動時にその移動量を大きくすると、制止用ギヤ４２とロック歯２９との離間距離が大きくなり、制止部材４の許容傾斜角度が大きくとれることから、ロック状態において解除部材６の脚部６３の先端がリールギヤ２４の先端（歯先面）より突出するように設けられている（図１参照）。これにより、駆動ギヤ１３がリールギヤ２４に噛合する際に、駆動ギヤ１３がリールギヤ２４に噛合する前に脚部６３が駆動ギヤ１３に接触して押し上げられ、駆動ギヤ１３が最終的にリールギヤ２４に噛合するまでの脚部６３の押し上げ量、すなわち解除部材６の移動量が大きくなり、解除状態の制止用ギヤ４２と係止突起２７との離間距離が大きくなる。
【００３６】
また、第５の態様として、同様に解除状態の制止用ギヤ４２と係止突起２７との離間距離が大きくなるように、図１に示すロック状態において、制止部材４の摺接部４１ａと解除部材６の摺接部６１ａとが接触しているように構成されている。すなわち、制止部材４は下降位置（ロック状態）では制止用ギヤ４２がロック歯２９に噛合して停止するから、必ずしも解除部材６と当接している必要はないが、解除部材６が解除方向に移動する際に、制止部材４との間に隙間があると、この隙間分だけ解除部材６の移動量に対して制止部材４の移動量が小さくなるが、ロック状態においても制止部材４と解除部材６とを接触させておくことにより、制止部材４の移動量を確保し、解除状態の制止用ギヤ４２とロック歯２９との離間距離を大きくすることができる。
【００３７】
さらに、第６の態様として、制止部材４の解除移動量が同じであっても解除状態における制止用ギヤ４２とロック歯２９との離間距離を大きくするために、この制止用ギヤ４２とロック歯２９との離間距離ｃを制止用ギヤ４２の歯たけｔ（図４参照）以上、すなわち、ｃ≧ｔ、好ましくはｃ≧1.2ｔ、より好ましくはｃ≧1.4ｔ に設定する。すなわち、同じ歯形であれば制止用ギヤ４２における歯数を増やすことで歯たけｔが低くなり、上記離間距離ｃが大きくできる。そして、制止部材４が若干傾いても制止用ギヤ４２とロック歯２９との接触が発生するのを防止できると共に、制止用ギヤ４２の１ピッチが小さくなってロック状態の回転方向の分解能が小さくなり、ロック状態での磁気テープの緩み又は巻締めが少なくなる。
【００３８】
なお、実際には上記各態様は組み合わせて構成され、制止部材４の傾きの防止が行われる。
【００３９】
本発明では、上記のようなリール回転制止手段１０において、ロック時および落下衝撃等を受けた場合における磁気テープの巻き締まりによるテープ外れ等を防止する構造が採用されている。
【００４０】
上記制止部材４の制止用ギヤ４２の歯および上記ロック歯２９の歯形状は、図２のＢ−Ｂ線に沿った拡大断面図である図７に示すように、三角形の断面形状を有し、リ−ル２側のロック歯２９は、巻き戻し方向（矢印Ｕ方向）に面する斜面２９ａと、巻き上げ方向Ｗに面する斜面２９ｂとを有する。一方、制止部材４側の制止用ギヤ４２の歯は、このギヤ４２とロック歯２９との噛合状態においてリール２が巻き戻し方向（矢印Ｕ方向）に回動しようとする際にロック歯２９の斜面２９ａに当接する斜面４２ａと、リール２が巻き上げ方向（矢印Ｗ方向）に回動しようとする際にリール２側のロック歯２９の斜面２９ｂに当接する斜面４２ｂとを有する。
【００４１】
そして、上記制止用ギヤ４２の歯は、その頂角γが９０度以内で、両側の各斜面４２ａ，４２ｂの垂直面ｓに対する先端部の内角α，βが３０度以上であり、かつαとβとは略等しくなっている。そして、これに対応して、リール２側のロック歯２９も、頂角γ′が９０度以内で、両側の各斜面２９ａ，２９ｂの垂直面ｓ′に対する先端部の内角α′，β′が３０度以上であり、かつα′とβ′とが略等しくなっているが、γ′はγ以下となっている。すなわち、制止用ギヤ４２の歯およびロック歯２９は、６０°≦γ′≦γ≦９０°、３０°≦α，β，α′，β′≦４５°の範囲内に形成されている。
【００４２】
なお、制止用ギヤ４２の歯およびロック歯２９は、外周部の歯丈が高くなるように円錐状に形成され、外周側部分が先に噛合するように設けられている。
【００４３】
次に、上記リール回転制止手段１０の作用を説明すると、図１に示す磁気テープカートリッジ１の保管時等の非使用状態では、付勢部材５の付勢力によって、制止部材４、解除部材６並びにリール２はカートリッジケース３の下ケース３２側に移動しており、下ケース３２中心部の開口３２ａはリール２によって閉塞される。解除部材６はその下面がリールハブ２１の底壁２１ａ上面に当接した最下降状態にあり、その脚部６３は先端部がリールギヤ２４の歯先よりに突出しており、解除部材６の上面に当接している制止部材４も下降位置にあり、制止用ギヤ４２に歯がロック歯２９にが係合してリール２の非使用時における回転を拘束し、磁気テープの引き出しを阻止するロック状態にある。
【００４４】
一方、磁気テープカートリッジ１をドライブ機構に装填した図２のカートリッジ使用状態では、ドライブ機構側の回転駆動手段１１の回転シャフト１２がリール２の底面に対して接近し、チャッキング動作によって駆動ギヤ１３がリールギヤ２４に噛合しリール２を若干上方に移動させて保持すると、上記駆動ギヤ１３の歯先が解除部材６の脚部６３の先端に当接してこれを押し上げる。これに伴い、解除部材６が付勢部材５の付勢力に抗して上方へ移動し、この解除部材６と一体に制止部材４も上方の解除方向へ移動する。これにより制止用ギヤ４２の歯とロック歯２９との係合が解除され、リール２が回転自在とされる。そして、記録再生装置のドライブ機構によって磁気テープのロード／アンロードが行われる。
【００４５】
上記解除状態においては、前述のように制止部材４の傾きを抑制するか、あるいは傾きを元に戻し、又は、解除状態の制止用ギヤ４２とロック歯２９との離間距離を大きくすることにより、制止用ギヤ４２とロック歯２９との接触を防止し、異音の発生を防止すると共に、リール２の回転に支障が発生しないようにして、磁気テープの走行に負荷が掛からないようにすることができる。
【００４６】
また、上記制止用ギヤ４２の歯の斜面４２ａ，４２ｂの内角α，β、およびロック歯２９の斜面２９ａ，２９ｂの内角α′，β′が３０度以上で４５度以内に設定されていることにより、制止用ギヤ４２の歯とロック歯２９との噛合状態において確実なリール回転のロックが行なえるとともに、ロックに際して、双方の歯の位相がずれていても、噛合に伴うリールの巻き戻し方向およびリールの巻き上げ方向への移動量は僅かである。したがって、磁気テープの弛みも僅かであり、またリール２の巻き上げ方向Ｗへの移動に伴う磁気テープに作用する巻き締め力も小さいから、強制ロックに伴い磁気テープがピン形状のテープ引出し具から外れたりするのを防止することができる。
【００４７】
また、上記ロック状態において、落下衝撃等によってリール２が巻き上げ方向Ｗに回転して磁気テープに過大な巻き締まり力が作用した際には、ロック歯２９の巻き戻し方向Ｕに面する斜面２９ａと、この斜面２９ａに当接する制止用ギヤ４２の歯の斜面４２ａとの内角αが３０度以上であることにより、この斜面４２ａ，２９ａにより制止部材４が付勢部材５に抗して上方の解除方向に移動し、両者の歯の噛合が外れてリール２が巻き戻し方向Ｕすなわち磁気テープの緩み方向に回転して、巻き締まり力を低減緩和することができ、これにより、磁気テープの伸び、外れ等が発生するのを防止することができる。
【図面の簡単な説明】
【００４８】
【図１】本発明による磁気テープカートリッジの一実施の形態の非使用状態における断面正面図
【図２】図１の磁気テープカートリッジの使用状態における要部断面図
【図３】図２のＡ−Ａ線に沿った断面図
【図４】制止部材の傾斜状態を示す要部断面図
【図５】制止部材の一つの傾き抑制態様における各部の寸法関係を示す部分断面図
【図６】制止部材の他の傾き抑制態様における各部の寸法関係を示す部分断面図
【図７】図２のＢ−Ｂ線に沿った要部拡大断面図
【符号の説明】
【００４９】
１    磁気テープカートリッジ
２    リール
３    カートリッジケース
４    制止部材
５    付勢部材
６    解除部材
１０    リール回転制止手段
１１    ドライブ側回転駆動手段
１３    駆動ギヤ
２１    リールハブ
２４    リールギヤ
２６    挿通孔
２７    係止突起
２９    ロック歯
４２    制止用ギヤ
【図１】
2008004265.tif 000003
【図２】
2008004265.tif 000004
【図３】
2008004265.tif 000005
【図４】
2008004265.tif 000006
【図５】
2008004265.tif 000007
【図６】
2008004265.tif 000008
【図７】
2008004265.tif 000009